(57)【要約】      （修正有）【課題】バインダーへの綴じ込みを簡単に行えるクリアファイルを提供する。【解決手段】透明又は半透明のシート状のファイル本体２をファイル本体の略中央位置に設けられた折り曲げ辺部２Ａにて二つ折りにして第１シート部と第２シート部に形成するとともに、これら各シート部に書類等を出し入れ自在に保持する収納部５、８を設け、折り曲げ辺部においてファイル係支部２０がファイル本体の外部に突出するように設けられたことにより、クリアファイルのバインダーへの綴じ込みを簡単に行える。【選択図】図２
0003195637.tif 000002
【実用新案登録請求の範囲】
【請求項１】
シート状のファイル本体が該ファイル本体の略中央位置に設けられた折り曲げ辺部にて二つ折りにして第１シート部と第２シート部に形成されるとともに、これら各シート部に書類等を出し入れ自在に保持する収納部が形成され、前記折り曲げ辺部においてファイル係支部が前記ファイル本体の外部に突出するように設けられたことを特徴とするクリアファイル。
【請求項２】
前記ファイル係支部は線材の一部を湾曲加工することによりリング状に形成され、前記線材の両先端部は前記折り曲げ辺部において前記ファイル本体の外部から内部に差し込まれ前記ファイル本体の内部にて折り曲げ固定されたことを特徴とする請求項１記載のクリアファイル。
【請求項３】
前記ファイル本体は透明又は半透明であり、
前記ファイル係支部は金属製であり、
前記折り曲げ辺部において前記ファイル係支部が設けられた内側面には補強材が取り付けられ、前記線材の両先端部は前記補強材を突き抜けファイル本体の内部にて折り曲げ固定されたことを特徴とする請求項２記載のクリアファイル。
【考案の詳細な説明】
【技術分野】
【０００１】
本考案は書類等を出し入れ自在に収納保持するクリアファイルに関する。
【背景技術】
【０００２】
従来、書類等を収納保持した状態でバインダーに綴じ込むことができ、そして綴じ込んだ状態で書類等の出し入れが自在なクリアファイルが知られている。
従来のクリアファイルにおける書類等の収納部は透明又は半透明のシート状のファイル本体に保持シートを重ね合わせ、前記ファイル本体と前記保持シートの外側縁と下側縁を熱溶着等により封止し、前記ファイル本体と前記保持シートの内側と上側を開放状態にすることにより形成されている。そして、この開放部分より、書類等の収納部への出し入れが自在となるようになっている。
【０００３】
前記ファイル本体において、前記収納部の開放された内側には綴じ孔が貫通形成され、この綴じ孔にバインダーのピン状の綴じ金具が挿入され、クリアファイルがバインダーに綴じられるようになっている。
【０００４】
上述したクリアファイルによれば、前記収納部の解放された部分より書類等を出し入れ自在に収納保持することができる。そして、ファイル本体に貫通形成された綴じ孔にバインダーの綴じ金具を差し込み、複数のクリアファイルをバインダーに綴じ込むことができる。
【考案の概要】
【考案が解決しようとする課題】
【０００５】
しかしながら、上述した従来のクリアファイルではバインダーの綴じ金具が差し込まれる綴じ孔がファイル本体に形成されているため、収納部において解放されている内側より書類等の一部が外にはみ出した場合、前記綴じ孔と重なり、前記綴じ孔を塞いでしまう恐れがある。このように前記綴じ孔を塞いでしまうとバインダーの綴じ具をクリアファイルの綴じ孔に挿入することは困難となる。
【０００６】
したがって，書類等をクリアファイルの収納部に差し込み収納するときには，書類等が前記綴じ孔に重ならないように書類を収納部内で位置合わせした後に行う必要があり，その作業が煩雑である。
【０００７】
また，クリアファイルの収納部に収められている書類等を使用するとき、特に、会社概要、製品説明等のプレゼンテーションの場合のように複数の書類を複数のクリアファイルから頻繁に出し入れするとき、プレゼンで使用した書類等がクリアファイルの綴じ孔と重なるように収納される場合も多々あり、書類等を収納した後に、クリアファイルの綴じ孔と重なった書類等を収納部内で位置合わせし、綴じ孔を開放させ、その後にクリアファイルをバインダに綴じなければならず、作業が煩雑である。
【０００８】
本考案は、上述した課題を解決するためのものであり、クリアファイルの収納部への書類等の出し入れ作業が簡単であり、またクリアファイルのバインダーへの綴じ込みが容易なクリアファイルを提供することを目的とする。
【課題を解決するための手段】
【０００９】
上述した課題を解決し、上述した目的を達成するために、本考案のクリアシートは透明又は半透明のシート状のファイル本体が該ファイル本体の略中央位置に設けられた折り曲げ辺部にて二つ折りにして第１シート部と第２シート部に形成されるとともに、これら各シート部に書類等を出し入れ自在に保持する収納部が形成され、前記折り曲げ辺部においてファイル係支部が前記ファイル本体の外部に突出するように設けられたことを特徴とするものである。
【００１０】
本考案のクリアファイルによれば、書類等のクリアファイルの収納部への出し入れが簡単に行えるとともに、収納されている書類等に邪魔をされることなくクリアファイルをバインダーに綴じることができる。
【００１１】
本考案のクリアファイルの前記シート係支部は線材の一部を湾曲加工することによりリング状に形成され、前記線材の両先端部は前記折り曲げ辺部において前記ファイル本体の外部から内部に差し込まれ前記ファイル本体の内部にて折り曲げ固定されたことを特徴とするものである。
【００１２】
上記構成のクリアファイルによれば、前記ファイル係支部を線材の曲げ加工で簡単に形成でき、またそのファイル係支部を構成する線材をファイル本体に差し込み、その線材の先端部を折り曲げるだけでファイル係支部をファイル本体に取り付けることができる。また、ファイル係支部はリング状に形成されているので、バインダーの綴じ具のファイル本体への差し込みも簡単に行うことができる。
【００１３】
また、本考案のクリアファイルのファイル本体は透明又は半透明で、そして前記ファイル係支部は金属製であり、前記折り曲げ辺部において前記ファイル係支部が設けられた内側面には補強材が取り付けられ、前記線材の両先端部は前記補強材を突き抜けファイル本体の内部にて折り曲げ固定されたことを特徴とするものである。
【００１４】
上記構成のクリアファイルによれば、ファイル本体の内部にて折り曲げられたファイル係支部を構成する線材の両先端部を補強材に食い込ませ固定できるので、前記線材の先端部がファイル本体の内部に突き出た状態で露出することはない。
【考案の効果】
【００１５】
本考案のクリアファイルによれば、書類等をクリアファイルの収納部に簡単に出し入れ自在に収納できるとともに、収納されている書類等に邪魔をされることなくクリアファイルをバインダーに綴じることができる。
【図面の簡単な説明】
【００１６】
【図１】本考案の実施形態を示すクリアファイルの見開き状態を示す概略正面図である。
【図２】図１に示すクリアファイルの閉じた状態を示す概略正面図である。
【図３】図２のＡ部分の要部拡大断面図である。
【図４】本考案の他の実施形態を示すクリアファイルの見開き状態を示す概略正面図である。
【図５】図４に示すクリアファイルの閉じた状態を示す一部切欠き概略正面図である。
【図６】図５のＢ部分の要部拡大断面図である。
【図７】本考案の他の実施形態を示す要部拡大断面図である。
【考案を実施するための形態】
【００１７】
以下、本考案の実施形態に係るクリアファイル１について、図１、図２及び図３を参照しながら説明する。
図１に示すように、本実施形態に係るクリアファイル１は矩形状のファイル本体２を有している。前記ファイル本体２は可撓性を有する透明又は半透明な素材シートを打ち抜くか又は切断することにより形成されている。
前記ファイル本体２は略中央位置に設けられた折り曲げ辺部２Ａにて二つ折りにされ第１シート部３と第２シート部４として形成されている。
【００１８】
前記第１シート部３には書類等を出し入れ自在に収納保持する第１収納部５が形成されている。本実施形態では前記第1収納部５にＡ４サイズの書類を収納保持する例として説明する。前記第1収納部５は前記ファイル本体２を構成する素材シートからなる保持シート６を第１シート部３の下側縁３Ａにて折り曲げるとともに外側縁３Ｂを熱溶着又は超音波溶着等の溶着手段で接合することにより形成されている。前記第１収納部５は前記第１シート部３の上側３Ｃは開放されるとともに内側３Ｄも開放され、この開放部分より書類を出し入れすることができるようになっている。なお、前記保持シート６の上側の隅部には切欠き部７が設けられており、書類を前記第１収納部５に差し込むときに前記保持シート６をめくり易くなる構成となっている。
【００１９】
また、前記第２シート部４にも書類等を出し入れ自在に保持する第２収納部８が形成されている。この収納部８もＡ４サイズの書類を収納保持できるようになっている。前記第２収納部８も前記第１収納部５と同様にファイル本体２を構成する素材シートからなる保持シート９を第２シート部４の下側縁４Ａにて折り曲げるとともに外側縁４Ｂを熱溶着又は超音波溶着等の溶着手段で接合することにより形成されている。前記収納部８は前記第２シート部４の上側４Ｃは開放されるとともに内側４Ｄも開放され、この開放部分より書類を出し入れすることができるようになっている。なお、前記保持シート９の上側の隅部には切欠き部１０が設けられており、書類を前記収納部８に差し込むときに前記保持シート９をめくり易くなる構成となっている。
【００２０】
上述のように前記各収納部５，８は前記折り曲げ辺部２Ａを中心として左右対称に形成されている。したがって、前記各収納部５，８の開放部分は前記各シート部５，８の上側と前記各シート部５，８の内側に存在することになり、Ａ４サイズの倍の大きさのＡ３サイズの書類を前記各収納部５，８に亘って収納保持することができるようになっている。
【００２１】
なお、図示は省略するが、本考案に係る第1収納部はファイル本体を構成する保持シートを第１シート部の外側縁にて折り曲げるとともに下側縁にて熱溶着又は超音波溶着等の溶着手段で接合し、また第２収納部もファイル本体を構成する保持シートを第２シート部の外側縁にて折り曲げるとともに下側縁にて熱溶着又は超音波溶着等の溶着手段で接合することにより形成されたものであってもよい。この例の場合でも、前記第１収納部及び第２収納部はの開放部分は各シート部の上側と内側になるので、この開放部分より書類を簡単に出し入れすることができる。また、前記各保持シートをめくり易くする切欠き部を各保持シートの下側の隅部に設けたものであってもよい。
【００２２】
前記折り曲げ辺部２Ａにはクリアファイル１を図示しないバインダーに綴じるために使用するファイル係支部２０、２０がファイル本体２から外部に突出するように設けられている。なお、前記ファイル係支部２０，２０は前記折り曲げ辺部２Ａの長手方向の二か所に設けられている。本実施形態はファイル係支部２０、２０を折り曲げ辺部２Ａの二か所に設けたものであるが、本考案はファイル係支部２０の数には限定されない。
【００２３】
前記ファイル係支部２０は、図３にも示すように金属製の線材の一部を湾曲加工することによりリング状に形成されている。前記ファイル係支部２０の両端部には前記ファイル係支部２０を構成する線材の一部からなる取付け部２０Ａ，２０Ａが前記ファイル本体２Ａの外側面に沿って張り出し形成されている。これら各取付け部２０Ａ，２０Ａの先端部２０Ｂ，２０Ｂは前記ファイル本体２Ａの外部から内部に差し込まれている。そして、前記各取付け部２０Ａ，２０Ａの先端部２０Ｂ，２０Ｂは前記ファイル本体２の内部にて互いに向き合うように折り曲げられ、固定されている。
【００２４】
上述のように、バインダーの綴じ具が挿入されるファイル係支部２０を前記折り曲げ辺部２Ａにおいてファイル本体２の外部に突出するように設けたので、従来のようにバインダーの綴じ具をファイル本体に設けた綴じ孔に差し込むときに、その綴じ孔が塞がれることはないので、書類の収納部への出し入れ作業を簡単に行うことができる。
また、前記ファイル係支部２０は金属製の線材の曲げ加工により簡単に形成でき、線材の先端部２０Ｂ、２０Ｂを前記ファイル本体２に差し込み、内部にてその先端を折り曲げるだけで前記ファイル係支部２０を簡単に取り付けることができる。
【００２５】
次に、本考案の他の実施形態に係るクリアファイル１００について、図４、図５及び図６を参照しながら説明する。なお、この実施形態において、前記実施形態と同一の構成部分については同一符号を付し、詳細な説明は省略する。
この実施形態のクリアファイル１００のファイル本体２の折り曲げ辺部２Ａの内側面には補強材となる例えばボール紙からなる帯状の補強シート３０が前記折り曲げ辺部２Ａの長手方向に沿って重ね合わされ取り付けられている。バインダーの綴り具が差し込まれるファイル係支部２０は前記折り曲げ辺部２Ａにおいてファイル本体２の外部に突出するように設けられている。このファイル係支部２０の取付け部２０Ａ，２０Ａの先端部２０Ｂ，２０Ｂはファイル本体２を突き抜けるとともに前記補強シート３０も突き抜け、ファイル本体２の内部にて互いに向かい合うように折り曲げられ固定されている。    
前記線材の先端部２０Ｂ，２０Ｂの折り曲げにより、前記補強シート３０が前記ファイル本体２に取付け固定されることになる。
【００２６】
前記補強シート３０を設けることにより、前記取付け部２０Ａ，２０Ａの先端部２０Ｂ，２０Ｂは前記補強シート３０に食い込む形で固定される。したがって、前記取付け部２０Ａ，２０Ａの先端部２０Ｂ．２０Ｂがファイル本体２の内部で露出することはなく、書類のファイルからの出し入れの時、金属製の線材からなる前記先端部２０Ｂ，２０Ｂに指等がひっかかり、書類の出し入れ作業がしづらくなることはなく。また、指等がけがをすることもなく安全である。
【００２７】
また、前記補強シート３０を幅広に形成することにより、前記補強シート３０のシート本体を収納されている書類のインデックス表示部３１として利用できる。したがって、前記収納部５，８に収納されている書類の内容をファイル本体２を介して外部から目視にて確認することができ、前記各収納部５，８への書類の出し入れ作業がスムーズになり、またクリアファイル１００の整理及び管理も容易となる。
【００２８】
図７は前記実施形態で説明した補強シート３０の代わりに粘着テープ４０を補強材とした実施形態である。この実施形態ではファイル本体２の折り曲げ辺部２Ａの内側面に補強材となる粘着テープ４０が長手方向に沿って張り付け固定されている。この実施形態の場合、補強材が粘着テープ４０なので補強材の位置ずれが生じない。また、粘着テープ４０は弾力性があるので前記取付け部２０Ａ，２０Ａの先端部２０Ｂ，２０Ｂを折り曲げ固定するとき、その先端部２０Ｂ，２０Ｂを粘着テープ４０に深く食い込ませることができ、前記先端部２０Ｂ、２０Ｂのファイル本体２の内部での露出を防ぐことができる。したがって、前記実施形態と同様に書類をファイルからの出し入れするとき、金属製の線材からなる前記先端部２０Ｂ，２０Ｂに指等がひっかかることはなく、書類の出し入れ作業がスムーズとなり、また安全でもある。
【００２９】
なお、図示は省略するが前記粘着テープの代わりに、前記取付け部２０Ａ，２０Ａの先端部２０Ｂ，２０Ｂに接着剤等の樹脂を被せ埋め込むようにしても同様の効果がある。
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
【符号の説明】
【００３０】
１、１００・・・・・・・クリアファイル
２・・・・・・・・・・・・・・・ファイル本体
２Ａ・・・・・・・・・・・・・折り曲げ辺部
３・・・・・・・・・・・・・・・第１シート部
４・・・・・・・・・・・・・・・第２シート部
５・・・・・・・・・・・・・・・第１収納部
８・・・・・・・・・・・・・・・第２収納部
２０・・・・・・・・・・・・・ファイル係支部
２０Ａ，２０Ａ・・・取付け部
２０Ｂ，２０Ｂ・・・先端部
３０・・・・・・・・・・・・・補強シート
４０・・・・・・・・・・・・・粘着テープ
【図１】
0003195637.tif 000003
【図２】
0003195637.tif 000004
【図３】
0003195637.tif 000005
【図４】
0003195637.tif 000006
【図５】
0003195637.tif 000007
【図６】
0003195637.tif 000008
【図７】
0003195637.tif 000009
【手続補正書】
【提出日】平成26年12月10日(2014.12.10)
【手続補正１】
【補正対象書類名】図面
【補正対象項目名】全図
【補正方法】変更
【補正の内容】
【図１】
0003195637.tif 000010
【図２】
0003195637.tif 000011
【図３】
0003195637.tif 000012
【図４】
0003195637.tif 000013
【図５】
0003195637.tif 000014
【図６】
0003195637.tif 000015
【図７】
0003195637.tif 000016